(57)【特許請求の範囲】
【請求項１】
縫製に関する情報を表示する表示パネルを備え、
縫製データに基づいて縫製動作が定められ、かつ、オペレータからの操作により一針ごとの縫製動作を実行して停止するステップ動作が可能なボタン付けミシンであって、
前記一針ごとのステップ動作に関連する設定項目の設定を行うための表示画面を表示パネルに表示する制御手段を備え、
前記制御手段は、前記一針ごとの針落ち点を示すとともに当該一針ごとのステップ動作をイメージさせる絵柄を表示するように、前記一針ごとのステップ動作が行われるたびに、当該一針ごとのステップ動作に割り当てられた表示画面を前記表示パネルに表示することを特徴とするボタン付けミシン。
【請求項２】
前記制御手段は、前記一針ごとのステップ動作に伴って針落ち点となるボタン穴を示す図柄を表示パネルに表示することを特徴とする請求項１記載のボタン付けミシン。
【発明の詳細な説明】
【０００１】
【発明の属する技術分野】
本発明は、縫製データに基づいて縫製動作が定められるミシンに、縫製データを入力するための表示画面を表示するミシンに関する。
【０００２】
【従来の技術】
従来、縫製データに基づく電子制御により縫製動作が定められるミシンでは、オペレータの操作により、この縫製データを入力するための表示画面を表示する表示装置が設けられる。この縫製データは、ミシンが所定に動作するために必要となる多数の設定項目データからなる。
従来の表示装置は、例えば、縫製データを入力するための表示画面を表示する表示部（例えば、液晶パネル、ＣＲＴなど）と、縫製データを入力する入力部（例えば、スイッチなど）と、縫製データに基づいてミシンの縫製動作を所定に制御するＣＰＵと、必要となる各種データが格納される半導体メモリと、などから構成される。これにより、オペレータは表示装置の表示画面から縫製データを設定できる。そして、設定された縫製データに基づいて、ＣＰＵが各種アクチュエータを制御し、定められた縫製動作がなされる。
【０００３】
従来の表示装置１００の構成例を図１８に示す。この表示装置１００は、表示部となる液晶表示部１０と、入力部となる操作スイッチ部２０と、などを備える。そして、液晶表示部１０が表示する表示画面に、必要となる設定項目データを設定するための設定項目１１が表示される。
従来の表示装置では、この液晶表示部１０に、下位階層画面Ｑ（図１９に図示）と上位階層画面Ｐ（図２０に図示）とが互いに切換表示できるように構成される。下位階層画面Ｑは、図１９に示すように、必要となる設定項目１１がまとめて表示される。オペレータはこの下位階層画面Ｑで各設定項目データを設定できる。対して、上位階層画面Ｐは、図２０に示すように、頻繁に編集を行う設定項目１１が予め選択されて表示される。これにより、オペレータが縫製データを簡易的に設定する便宜が図られる。なお、図１８は液晶表示部１０に上位階層画面Ｐを表示した状態を示している。
【０００４】
操作スイッチ部２０は、各種スイッチを備え、各設定項目データを編集するときに、画面選択、絵選択、数値入力などの操作が行えるように構成される。
操作スイッチ部２０は、より詳細には以下の通りに構成される。すなわち、図１８に示すように、「０」〜「９」までの数値に対応する各キーからなるテンキー２１と、入力する数値を増減させる「＋」キー２２および「−」キー２３と、表示画面に表示されるカーソルを上下左右に移動させるカーソル移動キー２４と、を備える。
また、操作スイッチ部２０は、液晶表示部１０に表示される絵柄などのピクトを選択する選択キー２５と、入力した数値をクリアするリセットキー２６と、を備える。さらに、操作スイッチ部２０は、「二桁の数値」を入力するときに押下げる二桁キー２７を備える。
各設定項目データとして「二桁の数値」を入力するときには、先ずこの二桁キー２７を押下げ、二桁の数値の入力待ち状態とする。次いで「十の位の値」「一の位の値」の順序で対応する数値をテンキー２１から入力することで、所望の二桁の数値が入力される。
そして、準備完了キー２８の押下げにより縫製データの設定が完了し、縫製動作の待機状態となる。
【０００５】
【発明が解決しようとする課題】
しかしながら、従来の表示装置１００では、上位階層画面Ｐに表示されていない設定項目データを編集しようとすると、オペレータは下位階層画面Ｑを呼び出して設定項目データを編集するという煩雑な操作が必要であった。
ここで、上位階層画面Ｐに表示される設定項目１１としては、上述のように、頻繁に編集を行う設定項目１１が予め選択されていることが望ましい。しかし実際には、縫製物の種類（例えば、紳士服、婦人服、上着、ズボンなど）、ミシンの操作条件の違い（例えば、セットアップ時、通常縫製時、試し縫い時など）などにより、頻繁に編集することになる設定項目１１が異なる。従って、上位階層画面Ｐに表示すべき設定項目１１を、あらゆる場面に対応するように当初から設定しておくことは困難である。
また、上位階層画面Ｐに表示される設定項目１１の種類をできるだけ多く設定しておけば、上述の下位階層画面Ｑを呼び出す煩雑な操作が低減される。しかしながら、表示スペースの制約から上位階層画面Ｐに表示できる設定項目１１の数には限りがあり、あらゆる場面に対応させることができなかった。
【０００６】
本発明の課題は、縫製物の種類、操作条件の違い、などのさまざまな条件に対応して、簡易的に縫製データを設定できるミシンを提供することである。
【００１４】
【課題を解決するための手段】
請求項１記載の発明は、例えば、図１４〜１７に示すように、
縫製に関する情報を表示する表示パネル（例えば、液晶表示部１０）を備え、
縫製データに基づいて縫製動作が定められ、かつ、この縫製動作の一針ごとのステップ動作が可能なボタン付けミシンであって、
前記一針ごとのステップ動作に伴って、各順番の針落ち点におけるステップ動作に関連する設定項目の設定を行うために、当該各設定項目が絵表示された表示画面を表示パネルに表示する制御手段（例えば、ＣＰＵ４と記憶部５）を備え、
前記制御手段は、前記一針ごとの針落ち点を示すとともに当該一針ごとのステップ動作をイメージさせる絵柄を表示するように、前記一針ごとのステップ動作が行われるたびに、当該一針ごとのステップ動作に割り当てられた表示画面を前記表示パネルに表示することを特徴とする。
【００１５】
請求項１記載の発明によれば、制御手段の制御のもとで、１針毎のステップ動作に対応する設定項目が表示パネルに表示される。従って、請求項１記載の表示装置を備えるボタン付けミシンは、１針毎のステップ動作に割り当てられた画面を適宜表示させ、オペレータは縫製に関する情報をステップ動作ごとに設定できる。これにより、縫製に関する情報の設定を簡易的に行うことができる。
また、上記制御手段は、前記一針ごとのステップ動作に伴って針落ち点となるボタン穴を示す図柄を表示パネルに表示しても良い。
【００１６】
【発明の実施の形態】
〔第１の実施の形態〕
以下、図１〜６を参照して、第１の実施の形態の表示装置１を詳細に説明する。
第１の実施の形態の表示装置１は、複数の設定項目データからなる縫製データに基づいて縫製データが定められるミシンに設けられ、縫製データを設定するための表示画面を表示する。
この表示装置１のハード的な構成は、従来の表示装置１００（図１８に図示）と同様であり、液晶表示部１０（表示パネル）と操作スイッチ部２０とを備える。そして、表示の制御が本発明にかかる部分となる。従って、以下の説明では、従来の表示装置１００と同様の構成要素には同一の符号を付してその説明を省略する。
なお、以下の説明では、第１の実施の形態の表示装置１をボタン付けミシンに適用した例を主体に説明するが、本実施の形態の表示装置１が適用されるミシンはボタン付けミシンに限定されず、縫製データに基づいて縫製動作が定められるミシンであれば、各種ミシンに適用できる。
【００１７】
以下、図１のブロック図を参照して、第１の実施の形態の表示装置１の基本構成を説明する。
表示装置１は、図１に示すように、選択されたプログラムに基づいて各種処理を行なうＣＰＵ（Central Processing Unit）４と、オペレータが縫製データを設定するために操作する表示画面を表示する表示部２と、縫製データなどの各種データを設定する入力部３と、ミシンを制御するためのプログラムおよびこのプログラムで必要となる各種データなどが記憶される記憶部５（記憶手段）と、を備える。
また、図示はしないが、第１の実施の形態の表示装置１が備えられるミシンには、ミシンの駆動源となるミシンモータと、縫製物を搬送する縫製物搬送装置と、などを動作させる各種アクチュエータ６が設けられる。これら各種アクチュエータ６は、Ｉ／Ｏポートおよびドライバを介してＣＰＵ４に接続され、このＣＰＵ４の制御のもとで所定に動作する。
【００１８】
ＣＰＵ４は、予め記憶部５に記憶されている各種プログラムの中から指定されたプログラムや、入力部３から入力される各種データを記憶部５内に格納する。そして、ＣＰＵ４は、指定されたプログラムに従って、記憶部５内に格納された各種データに応じた各種処理を実行し、この処理結果を記憶部５内にさらに格納すると共に、この処理結果を表示部２に出力する。
【００１９】
記憶部５は、予めミシンを制御するためのプログラムおよびこのプログラムで使用されるデータ、が記憶されたＲＯＭ（read only Memory）と、入力部５から入力されて新たに更新された縫製データ、ＣＰＵ４がプログラムに基づいてミシンを制御するときに必要となる各種データ、などのデータがＣＰＵ４の制御のもとで格納されるＲＡＭ（Random Access Memory）と、を備えて構成される。なお、ＲＡＭには予め定められたプログラム番号に対応づけて、所望のプログラムと所望のデータから構成される縫製パターンが記憶されている。
【００２０】
また、記憶部５のＲＯＭおよびＲＡＭには、液晶表示部１０に下位階層画面Ｔ（下位画面）を表示するための下位階層画面データ（下位画面情報）と、上位階層画面Ｓ（上位画面）を表示するための上位階層画面データ（上位画面情報）と、が格納される。ここで、これら記憶部５のＲＯＭおよびＲＡＭには、複数の上位階層画面データが格納される。これら複数の上位階層画面データは、各々プログラム番号に対応して格納される。これにより、本実施の形態の表示装置は、ミシンが行う縫製動作に対応する複数の上位階層画面を表示できるように構成される。従って、該当するプログラム番号を選択して、所望の縫製動作に関連する上位階層画面を表示できるように構成される。
【００２１】
また、記憶部５のＲＯＭには、初期画面を表示するためのデフォルトとなるデータ（下位階層画面データ、上位階層画面データ、縫製データなど）が格納される。また、記憶部５のＲＡＭは、新たに設定された縫製データ、新たに設定された上位階層画面データおよび下位階層画面データ、などのデータがＣＰＵ４の制御のもとで格納される。また、記憶部５のＲＡＭはバッテリーによってバックアップされ、電源が遮断されても記憶内容が消失せずに保持できる。なお、このＲＡＭをＥＥＰＲＯＭに置き換えても良い。
【００２２】
入力部３は、各種スイッチ、マウス、キーボードなどにより構成され、本実施の形態では、操作スイッチ部２０が入力部３となる。
【００２３】
表示部２は、ＣＲＴ（Cathode Ray Tube）、ＬＣＤ（Liquid Crystal Display）等により構成され、ＣＰＵ４の表示制御に従い、ＣＰＵ４から入力されるデータを表示する。なお、本実施の形態では、液晶表示部１０が表示部２となる。表示部２となる液晶表示部１０は、下位階層画面Ｔと、この下位階層画面Ｔから切換表示される上位階層画面Ｓと、を表示する。
この液晶表示部１０は、選択されているプログラム番号を表示するプログラム番号表示部１２と、設定項目１１（縫製に関する情報）が表示される設定項目表示部１３と、選択されているプログラムがイメージ表示されるプログラムイメージ表示部１４と、などの表示部が設けられる。これら各表示部が所定に配置され、上位階層画面Ｓおよび下位階層画面Ｔの画面が構成される。
【００２４】
また、上位階層画面Ｓおよび下位階層画面Ｔに表示される絵柄などのピクトは、縫製データの設定を行う場合に、操作する対象となるピクトが点滅状態で表示される（以下「カーソル」と称す）。このカーソルは、操作スイッチ部２０のカーソル移動キー２２により、表示されるピクト間で、上下左右に移動させることができる。そして、選択キー２５を押下げることで、カーソルが位置して点滅状態にある絵柄などのピクトが選択される。
【００２５】
また、下位階層画面Ｔには上位階層画面表示スイッチ１５が設けられ、上位階層画面Ｓには下位階層画面表示スイッチ１６が設けられる。これら上位階層画面表示スイッチ１５と下位階層画面表示スイッチ１６とはタッチパネル式に構成され、外部からの押圧を検知することでスイッチとして機能する。
上位階層画面表示スイッチ１５は、ＣＰＵ４の制御のもとで、下位階層画面Ｔから上位階層画面Ｓへと切替表示させる。また、下位階層画面表示スイッチ１６は、上位階層画面Ｓから下位階層画面Ｔへと切換表示させる。すなわち、本実施の形態では、上位階層画面表示スイッチ１５と、下位階層画面表示スイッチ１６と、ＣＰＵ４と、記憶部５と、から切換え手段が構成される。
【００２６】
ここで、図２に下位階層画面Ｔの表示を拡大して示す。
この下位階層画面Ｔは、プログラム番号表示部１２に選択されているプログラム番号が表示される。本実施の形態では、「０」から「９９」までの数値に対応づけられた１００種類の縫製パターンが選択できる。なお、図２では、プログラム番号「３」に対応するプログラム（本実施の形態では平ボタンの縫製に対応。その他、シャンクボタンの縫製プログラムがある）及びデータが選択されている状態を示す。
また、下位階層画面Ｔには、設定項目表示部１３に、選択されているプログラム番号で必要となる全ての設定項目１１が表示される。これらの表示は、オペレータがその設定項目１１をイメージしやすいように設定項目１１に応じて絵表示され、オペレータの操作の利便性が図られる。さらに、これら設定項目１１は、設定されている数値が絵表示とともに併せて表示される。これにより、オペレータは各設定項目１１の設定内容を容易に確認できる。なお、各設定項目１１には、プログラム番号に応じて、予めデフォルトとなる数値が設定され、記憶部５のＲＯＭ内に格納される。つまり、各設定項目１１には、対応する絵表示とともに、このデフォルトとなる数値もしくは新たに設定された数値が表示される。
さらに、下位階層画面Ｔには、後述するように、上位階層画面Ｓに表示させる設定項目１１を選択するための設定スイッチ１７が設けられる。
【００２７】
本実施の形態では、下位階層画面Ｔの設定項目表示部１３には、１度に１５種類の設定項目１１が表示できる。また、本実施の形態では、縫製データは図３に示す１８種類の設定項目１１からなる。従って、図２に示すように、設定項目表示部１３に表示できる設定項目１１の数より、本実施の形態で用いられる設定項目１１の数の方が多く、設定項目表示部１３に１８種類全ての設定部１１（図３に示す）が表示されない。そこで、操作スイッチ部２０のカーソル移動キー２４を操作してカーソル（点滅位置）を移動させることで、表示しきれずに隠れている設定部１１を表示させる。これにより、オペレータは下位階層画面Ｔに表示される全ての設定項目１１に対して操作を行える。
【００２８】
この下位階層画面Ｔは、以下に示すとおり、上位階層画面Ｓに表示させる設定項目１１を設定・登録する機能が持たされている。
カーソル移動キー２４によりカーソル（点滅位置）を上下左右に移動させ、編集すべき設定項目１１のピクトを点滅状態とする。このように、設定・登録する設定項目１１を選択した状態で、設定スイッチ１７を押すと、選択されている設定項目１１の表示の右下に「＊」が表示される。このように、ＣＰＵ４の制御のもとで記憶部５に必要なデータを格納させながら、上位階層画面Ｓに設定・登録する設定項目１１が選択される。この状態で、上位階層画面表示スイッチ１５を押すと、選択された設定項目１１が表示された上位階層画面Ｓが表示される。また、選択された設定項目１１が「＊」を表示している状態で、再度、設定スイッチ１７を押すと「＊」が消失する。これにより、上位階層画面Ｓに設定・登録するために行った以上の操作が解除される。
すなわち、本実施の形態では、設定スイッチ１７とカーソル移動キー２４とＣＰＵ４と記憶部５とから選択手段が構成される。また、ＣＰＵ４で制御手段が構成される。
以上の方法により、オペレータは、全ての設定項目１１（図３に図示）のうち上位階層画面Ｓに表示すべき設定項目１１を設定できる。
なお、図２では、＜Ａ＞、＜Ｄ＞、＜Ｉ＞、＜Ｋ＞、＜Ｏ＞、に対応する５つの設定項目１１に「＊」を表示させた状態を示す。すなわち、これら５つの設定項目１１を上位階層画面Ｓに表示するように設定・登録されたことを示す。
【００２９】
また、本実施の形態では、上述の通り、上位階層画面Ｓの設定項目表示部１３は５つの設定項目１１を表示できるスペースをもつ。ここで、下位階層画面Ｔで選択した設定項目１１を、５つの表示スペースのどのスペースに表示させるかを、別途表示される表示画面などから設定できるように構成しても良い。この場合には、上位階層画面Ｓをオペレータの好みにあわせてより自由に構成できる。
また、下位階層画面Ｔにおいて設定・登録した設定項目１１の数が５つよりも少ない場合には、表示できる５つのスペースのうちの必要となるスペースだけに設定項目１１が表示される。すなわち、本実施の形態では、登録する設定項目１１の数は、５つ以下の数であれば自由に設定できる。
【００３０】
図４に、図２中の上述の５つの設定項目１１が選択された場合の上位階層画面Ｓの表示を示す。この上位階層画面Ｐの設定項目表示部１３には、上述の通りにして設定・登録された５つの設定項目１１が表示される。
上位階層画面Ｓは、選択されているプログラム番号が表示されるプログラム番号表示部１２と、設定項目データを入力するための設定部１１が表示される設定項目データ表示部１３と、などを備える。ここで、上位階層画面Ｓに表示されるプログラム番号は、上位階層画面Ｐで表示されるプログラム番号に対応し、上位階層画面および下位階層画面のいずれからでもプログラム番号が変更できる（本実施の形態では０〜９９の中から選択可能）。
また、プログラムイメージ表示部１４を備え、このプログラムイメージ表示部１４に、選択されているプログラム番号に対応する縫製動作のイメージ図が表示される。これにより、オペレータは選択したプログラムを１目で視認できる。
【００３１】
次に、図５を参照して、第１の実施の形態の表示装置１のＣＰＵ４における縫製データ設定処理を説明する。なお、図５は、上位階層画面Ｓに表示される設定項目１１を選択して設定・登録するときのフローチャートを示す。また、以下に示す縫製データ設定は、ミシンが停止している状態で、オペレータが全設定項目のうちから必要となる設定項目を選択して行われる。
先ず、本実施の形態の表示装置１を備えるミシンの電源をオンすると、表示装置１の液晶表示部１０に、プログラム番号に対応した上位階層画面Ｓが表示される（ステップＳ１）。このとき、記憶部５のＲＯＭに格納されるデフォルトの上位階層画面データに基づいて、上位階層画面Ｓが表示される。
【００３２】
次いで、ミシンが停止状態で、かつ、設定項目データの入力・変更などの編集が可能な状態で、オペレータは縫製データの編集が必要であるかどうか判断する（ステップＳ２）。そして、上位階層画面Ｓに表示されている縫製データのままで、縫製データの編集の必要がない場合には、ステップＳ１１へと移行し、起動信号の入力待ちとする。ここで、「縫製データの編集の必要がない場合」とは、上位階層画面Ｓに表示されている設定項目１１の設定項目データの編集や、プログラム番号の変更、など、下位階層画面Ｔを表示させる必要がない操作のみで足りる場合である。
そして、上位階層画面Ｓに表示されていない設定項目１１を編集する場合など、下位階層画面Ｔを表示させる必要がある場合にはステップＳ３に移行し、下位階層画面表示スイッチ１６の入力待ちの状態となる（ステップＳ３）。そして、下位階層画面表示スイッチ１６が押されると、この入力信号に伴って、ＣＰＵ４の制御のもとで下位階層画面Ｔが表示される（ステップＳ４）。
【００３３】
次いで、操作スイッチ部２０のカーソル移動キー２４を操作してカーソルを移動させ、上位階層画面Ｓに表示させる設定項目１１を点滅状態とし、編集する設定項目１１を選択する（ステップＳ５）。
次いで、編集する設定項目１１が点滅している状態で、設定スイッチ１７が押されたかどうか判定される（ステップＳ６）。この状態で、設定スイッチ１７が押されていない場合には、ステップＳ７に移行する。そして、ステップＳ７において、オペレータが上位階層画面Ｓに戻すために上位階層画面表示スイッチ１５をオンした場合には、ステップＳ１に移行して、上位階層画面Ｓが表示される。
また、上位階層画面表示スイッチ１５が押されない場合には、ステップＳ５に移行し、編集する設定項目１１を選択できる状態となる。
【００３４】
ステップＳ６で設定スイッチ１７が押されると、カーソルが位置する設定項目１１の表示に「＊」が表示される。そして今一度、オペレータはこの設定項目１１を上位階層画面Ｓに表示させるように登録するかを判断する（ステップＳ８）。「＊」が表示されたこの設定項目１１を登録する必要がないと判断した場合（例えば、操作ミスなどのため）には、「＊」が表示された設定項目１１にカーソルを位置させた状態で、設定スイッチ１７をもう一度押す。これにより、「＊」の表示が消失し、上位階層画面Ｓに表示させるための登録が解除される（ステップＳ１０）。
また、ステップＳ８で、「＊」が表示された設定項目１１をそのまま登録すると判断した場合には、この設定項目１１に「＊」が表示されたそのままの状態で、ステップＳ５に移行し（ステップＳ９）、同様の処理を行うことで次の設定項目１１を登録する処理を行う。
【００３５】
以上の処理を繰り返して必要な設定項目１１を全て登録し、上位階層画面表示スイッチ１５をオンすると、上位階層画面Ｓが表示される。以上の操作により、縫製データの設定に際して、下位階層画面Ｔを表示させることなく、オペレータが簡易的に縫製データを設定できる上位階層画面Ｓが構成される。
以上により、第１の実施の形態の表示装置１により縫製データが設定される。
【００３６】
以上の第１の実施の形態の縫製データ入力装置によれば、上位階層画面Ｓに表示すべき設定項目１１を任意に組み合わせて設定・登録できるので、オペレータは用途・目的に応じた上位階層画面Ｓを自在に構成できる。これにより、縫製物の種類、ミシンの操作条件、などの条件の違いに応じて、頻繁に数値の入力や変更を行うことになる設定項目１１を、自由に組み合わせて設定・登録できる。従って、縫製データ設定のときに、下位階層画面Ｔに切り換えるなどの煩雑な操作が抑制され、縫製データの設定の簡易化が図られる。
また、上位階層画面Ｓは必要な設定項目１１のみから構成されるので、シンプルでわかりやすい表示画面が構成できる。また、縫製データを設定するには、下位階層画面Ｔに表示される多くの設定項目１１の中から設定する設定項目１１を探す必要がなく、使いやすい上位階層画面Ｓが構成される。
【００３７】
なお、第１の実施の形態では、上位階層画面Ｓに表示される設定項目の選択を、下位階層画面Ｔにおいて表示したい設定項目に＊で印を付けるようにしたが、これに限られず、例えば、図６に示すように、下位階層画面Ｔ内を上位階層画面表示領域Ｔａと非表示領域Ｔｂとにより構成し、上位階層画面Ｓに表示する設定項目を上位階層画面表示領域Ｔａに移動するようにしてもよい。すなわち、上位階層画面表示領域Ｔａ内に表示されている設定項目が上位階層画面Ｓに表示されるようになっており、上位階層画面Ｓへと表示する設定項目を設定する場合、非表示領域Ｔｂから上位階層画面Ｓに表示したい設定項目をカーソル移動キー２４を操作して点滅表示し、設定スイッチ１７Ａを押すことで、選択された設定項目の元あった位置をブランクとし上位階層画面表示領域Ｔａに移動表示し、逆に、上位階層画面Ｓへの表示を非表示とする場合、上位階層画面表示領域Ｔａから非表示とする設定項目をカーソル移動キー２４を操作して点滅表示し、設定スイッチ１７Ａを押すことで、選択された設定項目の元あった位置をブランクとし非表示領域Ｔｂへと移動表示する。
これにより、下位階層画面Ｔにて上位階層画面表示領域Ｔａに移動された設定項目を記憶部５に記憶し、ＣＰＵ４は、この設定項目を切り換えられた上位階層画面Ｓへと表示している。
この場合、下位階層画面Ｔ内に上位階層画面表示領域Ｔａを持っているので、上位階層画面Ｓに表示される設定項目を容易に確認することができる。また、上位階層画面表示領域Ｔａへと移動した設定項目がブランクとなるようにしているので、重複して選択することを防止することができる。
また、第１の実施の形態では、上位階層画面Ｓに表示される設定項目は、下位階層画面Ｔで設定項目を選択後、上位階層画面Ｓへと切り換えると、自動的に選択された設定項目に切り換わるようになっているが、例えば、上位階層画面Ｓへと切り換えた後、所定のスイッチを押すことによって、選択された設定項目に切り換わるようにしてもよい。
【００３８】
〔第２の実施の形態〕
以下、図７〜１３を参照して、第２の実施の形態の表示装置を詳細に説明する。
第２の実施の形態の表示装置は、第１の実施の形態の表示装置１の変形例であり、複数の縫製工程に基づいてボタン付けするボタン付けミシンに備えられる。そして、液晶表示部１０は、第２の実施の形態の表示装置の液晶表示装置１０は、ボタン付けミシンの各縫製工程に割り当てられた表示画面を表示し、オペレータは各縫製工程ごとに縫製データを設定できるところが第１の実施の形態と異なっている。
従って、以下の説明では、第１の実施の形態と異なる部分を主体に説明し、第１の実施の形態と同様の構成要素については、同一の符号を付してその説明を省略する。
なお、第２の実施の形態の表示装置を備えるミシンは、ボタン付けミシンに限定されず、縫製データに基づいて複数の縫製工程からなる一連の縫製動作が定められるミシンであれば、各種ミシンに適用できる。
【００３９】
第２の実施の形態の表示装置が備えられるミシンは、図１０〜１２に示すように、「ボタン付け」と「根巻き」の２つの縫製工程に基づいて、概略以下の通りに動作する。図１０〜１２中、２２は縫製針を、２３は糸を示す。
先ず、以下の通りにボタンの「ボタン付け」工程がなされる。すなわち、図１０に示すように、ボタン付けされる布２０を二つ折りした状態とする。次いで、この二つ折りした布２０に対してボタン２１を縫いつける。このとき、ボタン２１の底面２１ａと、二つ折りされた布２０のボタン２１側の面２０ａと、の間に定められた間隔Ｌを設ける。このように、ボタン２１を布２０に対して浮いた状態で縫いつける。なお、図１０は、２つのボタン穴２１ｂのあいだでボタン付けされている状態の断面図を模式的に示している。
次いで、以下の通りに「根巻き」工程がなされる。すなわち、図１１に示すように、布２０を二つ折りした状態のままで、ボタン２１を布２０に対して９０°回転させた位置に移動させる。ボタン２１をこのように配置した状態で、根巻きの縫いを行う。この根巻きの縫いは、上述の「ボタン付け」工程で、間隔Ｌを設けて縫いつけられた布２０とボタン２１との間の糸２３の部分の上から、略螺旋状に糸２４を縫いつけていく。
そして、以上の「根巻き」工程の後に、二つ折りされている布２０を拡げることで、図１２に示すように、ボタン付けが完了する。
【００４０】
第２の実施の形態の表示装置は、その液晶表示部１０に、各縫製工程に割り当てられた表示画面を表示させる。これら表示画面は、割り当てられた縫製工程をイメージさせる絵柄と共に表示され、オペレータの便宜が図られる。図７に、「ボタン付け」工程と「根巻き」工程の２つの縫製工程をイメージする絵柄を示す。
【００４１】
ここで、縫製工程に割り当てられた表示画面の表示例として、図８に「ボタン付け」工程に割り当てられた表示画面Ｕを示し、図９に「根巻き」工程に割り当てられた表示画面Ｖを示す。
各表示画面Ｕ、Ｖは、縫製工程イメージ表示部２１に、割り当てられた縫製工程をイメージさせる絵柄（図７に図示）が表示される。表示画面の切替えは、カーソル移動キー２４を操作して縫製工程イメージ２１を点滅し、この状態で、選択キー２５を押すことによって行われる。本実施の形態の場合、選択キー２５を押すことによって、ボタン付け工程の表示画面Ｕと根巻き工程の表示画面Ｖとが交互に切換えて表示される。これにより、所定の縫製工程に割り当てられた表示画面が、液晶表示部１０に表示される。このように、視覚的に把握しやすい絵柄を選択することで所望の表示画面が表示され、オペレータの便宜が図られる。
また、各表示画面Ｕ、Ｖは、第１の実施の形態と同様に、プログラム番号表示部１２に、選択されているプログラム番号が表示される。図８、９に示す表示画面Ｕ、Ｖでは、上述の「ボタン付け」工程と「根巻き」工程とからなるボタン付け縫製のプログラムとして、プログラム番号「３」が選択されている状態を示す。
【００４２】
さらに、各表示画面Ｕ、Ｖは、設定項目表示部１３に、割り当てられた縫製工程に関連する設定項目１１が表示される。
本実施の形態では、図３に示す１８種類の設定項目１１が、以下の通りに縫製工程ごとに分類され、記憶部５のＲＯＭに予め格納されている。すなわち、「ボタン付け」工程としては、＜Ｂ＞、＜Ｃ＞、＜Ｄ＞、＜Ｅ＞、＜Ｈ＞、＜Ｉ＞、＜Ｊ＞、＜Ｋ＞、＜Ｌ＞の９つの設定項目１１が分類される。また、「根巻き」工程としては、＜Ｍ＞、＜Ｎ＞、＜Ｏ＞、＜Ｐ＞、＜Ｑ＞、＜Ｒ＞の６つの設定項目１１が分類される。さらに、＜Ａ＞、＜Ｆ＞、＜Ｇ＞の３つの設定項目１１は、各縫製工程の共通データとして分類される。これら共通データは、各縫製工程に割り当てられた表示画面Ｕ、Ｖとは別の表示画面（図示しない）に別途表示される。
【００４３】
なお、本実施の形態では、ボタン付けミシンの縫製動作を、「ボタン付け」工程と「根巻き」工程の２つの縫製工程に分けて縫製データを設定するが、さらに細かく縫製工程を分けて縫製データを設定できるように構成しても良い。これにより、より詳細に縫製データが設定され、より使いやすいシステムが実現される。
【００４４】
次に、図１３を参照して、第２の実施の形態の表示装置のＣＰＵ４における縫製データ設定処理を説明する。なお、図１３は、ボタン付けミシンの縫製データを設定するときのフローチャートを示す。
先ず、本実施の形態の表示装置を備えるミシンの電源をオンすると、表示装置の液晶表示部１０に、プログラム番号に対応した初期画面が表示される（ステップＴ１）。第２の実施の形態では、この初期画面として、ボタン付け縫製の最初の縫製工程となる「ボタン付け」工程の表示画面Ｕが表示される。
【００４５】
次いで、ミシンが停止状態で、かつ、設定項目データの入力・変更などの編集が可能な状態で、縫製データの編集が必要かどうか判断され（ステップＴ２）、縫製データの編集の必要がない場合には、ステップＴ８へと移行し、起動信号の入力待ちとする。ステップＴ２において縫製データを編集する必要がある場合には、ステップＴ３に移行し、オペレータは、初期画面として表示されている「ボタン付け」工程の表示画面Ｕに、編集する設定項目１１が表示されているか判断する（ステップＴ３）。
ステップＴ３において、編集する設定項目１１が表示画面Ｕに表示されていない場合には、ステップＴ４に移行する。そして、割り当てられた縫製工程をイメージさせる絵柄（大まかな縫製動作項目、図７に図示）を変更し、編集する設定項目１１が関連する縫製工程に割り当てられた表示画面を表示させる（ステップＴ４）。上述の通り、各表示画面は各縫製工程に割り当てられ、関連する設定項目１１が予め分類されている。ステップＴ４において、割り当てられた縫製工程をイメージさせる絵柄を変更すると、この変更に伴って、必要な設定項目が表示される（ステップＴ５）。
【００４６】
ステップＴ３において、編集する設定項目１１が表示画面Ｕに表示されている場合には、ステップＴ６に移行し、表示されている設定項目１１のうちから編集する設定項目１１を選択する（ステップＴ６）。この選択は、操作スイッチ部２０のカーソル移動キー２４によりカーソルを上下左右に移動させ、編集する選択項目１１を示す絵柄を点滅状態とすることで行う。こうして編集する設定項目１１を選択した状態で、この設定項目１１の設定項目データを所望の数値に編集する（ステップＴ７）。
以上の処理を繰り返して編集が必要な設定項目１１を全て編集することで、縫製データが設定される。
以上により、第２の実施の形態の表示装置により縫製データが設定される。
【００４７】
以上の第２の実施の形態の表示装置によれば、縫製工程ごとに関係する設定項目１１が、自動的に表示されるように構成される。これら設定項目１１に示される設定項目データを入力することで、オペレータは縫製工程ごとに縫製データを設定でき、簡易的に縫製データが設定される。また、各縫製工程に対応させて必要となる設定項目１１が自動的に表示され、誤って別の縫製データを壊してしまう畏れが低減される。
【００４８】
〔第３の実施の形態〕
以下、図１４〜１７を参照して、第３の実施の形態の表示装置を詳細に説明する。
第３の実施の形態の表示装置は、第１の実施の形態の表示装置１の変形例であり、縫製データに基づいて縫製動作が定められ、かつ、この縫製動作の１針ごとのステップ動作ができるように構成されたボタン付けミシンに備えられる。
そして、第３の実施の形態の表示装置の液晶表示装置１０は、ボタン付けミシンの１針ごとの動作に割り当てられた表示画面を表示し、オペレータは１針ごとに縫製データを設定できるところが第１の実施の形態と異なっている。
従って、以下の説明では、第１の実施の形態と異なる部分を主体に説明し、第１の実施の形態と同様の構成要素については、同一の符号を付してその説明を省略する。
なお、第３の実施の形態の表示装置を備えるミシンは、ボタン付けミシンに限定されず、１針ごとのステップ動作ができるように構成されたミシンであれば、各種ミシンに適用できる。
【００４９】
以下、第３の実施の形態の表示装置が備えられるボタン付けミシンとして、１針から３０針までの各動作と、最終針の動作と、から一連のボタン付けの縫製動作が定められるボタン付けミシンを例示する。
【００５０】
ここで、１針ごとのステップ動作に割り当てられた表示画面の表示例として、図１４にボタン付け工程の左下のボタン穴に針が落ちている状態（本実施の形態では４番目の針落ち点に対応）での表示画面Ｗを示し、図１５に左上のボタン穴に針が落ちている状態（本実施の形態では５番目の針落ち点に対応）での表示画面Ｘを示す。
各表示画面Ｗ、Ｘは、ステップ動作イメージ表示部３１に、ステップ動作をイメージさせる絵柄が表示される。４番目の針落ち点に対応する表示画面Ｗでは、図１４に示すように、左下のボタン穴に「×」が表示されたボタンの絵柄が表示される。同様に、５番目の針落ち点に対応する表示画面Ｘでは、図１５に示すように、左上のボタン穴に「×」が表示されたボタンの絵柄が表示される。
【００５１】
また、第１の実施の形態と同様に、プログラム番号表示部１２に、選択されているプログラム番号が表示される。図１４、１５に示す表示画面Ｗ、Ｘでは、１針ごとのステップ動作が可能なボタン付け縫製のプログラムとして、プログラム番号「３」が選択されている状態を示す。
さらに、第３の実施の形態の表示装置を備えるミシンのステップ動作は、オペレータの操作により１針ごとに進行もしくは停止される。第３の実施の形態の表示装置は、液晶表示部１０にこのステップ動作の入力部となるステップ動作スイッチ３２を備える。このステップ動作スイッチ３２はタッチパネル式に構成され、このステップ動作スイッチ３２が押されるごとに、ミシンは１針ごとのステップ動作を実行して停止する。なお、このステップ動作スイッチ３２は、押すごとに次のステップ動作を行う機能をもたせても良く、押すごとに次のステップ動作もしくは１つ前のステップ動作を行う機能をもたせても良い。
【００５２】
さらに、各表示画面Ｗ、Ｘは、設定項目表示部１３に、１針ごとのステップ動作に関連する設定項目１１が表示される。
本実施の形態では、図１６に示すように、ステップ動作（１針から３０針までのステップ動作および最終針のステップ動作）ごとに、関連する設定項目が割り当てられたテーブルが、記憶部５のＲＯＭに予め格納されている。そして、１針ごとのステップ動作に割り当てられた表示画面を表示するための入力信号を受けると、記憶部５に格納されるテーブルに基づいて、そのステップ動作に関連する設定項目１１が表示される。
【００５３】
以上により、第３の実施の形態の表示装置は、１針ごとのステップ動作に関連する設定項目１１が、自動的に表示されるように構成される。これら設定項目１１に示される設定項目データを入力することで、オペレータは、１針ごとの縫製物に対する針落ち位置を、前進もしくは後退させて確認しながら、縫製データを設定できる。
【００５４】
また、このようにミシンに実際の動作を追わせながら縫製データを設定することで、「長さ」、「回転数」、「速度」などの数値入力により明確に設定できる設定項目の他の設定項目についても的確に設定される。
なお、ミシンの各部位の位置などを認識する構成を設け、１針ごとのステップ動作の停止時に、各設定項目データを自動的に設定させるように構成しても良い。この場合に、ミシンの各部位の位置などを認識する構成としては、周知の各種センサを利用する構成があげられる。
【００５５】
次に、図１７を参照して、第３の実施の形態の表示装置のＣＰＵ４における縫製データ設定処理を説明する。なお、図１６は、ボタン付けミシンの縫製データを設定するときのフローチャートを示す。
先ず、本実施の形態の表示装置を備えるミシンの電源をオンし、表示装置の液晶表示部１０に、プログラム番号に対応した初期画面が表示される。
次いで、液晶表示部１０のステップ動作スイッチ３２を押されたかどうかを判定し（ステップＵ１）、このステップ動作スイッチ３２が押されずに、縫製データの編集の必要がない場合には、ステップＵ１０へと移行し、起動信号の入力待ちとする。
ステップＵ１において縫製データを編集する必要がある場合には、ステップ動作スイッチ３２を１回押し、１番目の針落ち位置までミシンをステップ動作させる（ステップＵ２）。この動作に伴って、液晶表示部１０に１番目の針落ち点での縫製データ入力画面が表示される（ステップＵ３）。
【００５６】
次いで、オペレータは、この１番目の針落ち点での縫製データ入力画面に表示され、１番目の針落ち点に関連する設定項目１１に対して、設定項目データの変更する必要があるかを判断する（ステップＵ４）。編集の必要がある場合には、ステップＵ５に移行し、必要な設定項目データの設定を行い（ステップＵ５）、ステップＵ６に移行する。ステップＵ４において、設定項目データを変更する必要がない場合には、ステップＵ５をスキップし、ステップＵ６に移行する。
次いで、ステップＵ６に移行し、再度、ステップ動作スイッチ３２が押されたかどうかを判定する（ステップＵ６）。このステップＵ６において、ステップ動作スイッチ３２が押されていない場合には、１番目の針落ち点に関連する表示画面（この時点で表示されている）での縫製データの設定が完了していないと判断して、ステップＵ４に戻す。また、ステップＵ６において、ステップ動作スイッチ３２が押された場合には、この操作に伴って、１番目の針落ち点から次の針落ち点へとステップ動作する（ステップＵ７）。
【００５７】
次いで、ミシンの一連のステップ動作が最後まで終了したかどうか判定され（ステップＵ８）、ステップ動作が最後まで終了していない場合には、該当する次の針落ち点（この場合には２番目の針落ち点）に関連する設定項目１１の設定項目データを設定する処理を行う。すなわち、ステップＵ９に移行して、該当する次の針落ち点（２番目の針落ち点）に関連する表示画面を表示する（ステップＵ９）。次いで、ステップＵ４からステップＵ７までの同様の処理を順次行うことで、２番目の針落ち点に関連する縫製データの設定が完了し、１番目の針落ち点に関連する縫製データを設定する上述の場合と同様に、ステップＵ８において、ステップ動作が最後まで終了したかが判定される。
【００５８】
なお、図１６に示すように、各針落ち点に分類されて記憶部５に格納される設定項目１１のうちには、複数の針落ち点に共通して分類される設定項目１１がある。すなわち、１針ごとのステップ動作をさせる過程で、これら共通する設定項目１１が複数回表示されることになる。ここで、各設定項目１１に設定される設定項目データは１つの数値である。従って、この共通する設定項目１１を、複数の針落ち点に共通する設定項目１１が表示される最先の表示画面で設定した場合には、この共通する設定項目１１については、以後の表示画面で設定する必要がない。
このために、例えば、共通する設定項目１１については、最先の表示画面で設定したあとは、以後の表示画面で設定できないように構成しても良い。また、ある針落ち点に関連する全ての設定項目が、そのときに表示される表示画面よりも前の表示画面で既に設定されている場合には、この表示画面をスキップするように構成しても良い。以上により、縫製データ設定のさらなる簡易化が図られ、さらに使いやすいシステムが構成される。
【００５９】
そして、上述の通り、各針落ち点に関連する縫製データを設定する処理の最後に、ステップ動作が最後まで終了したかどうかが適宜判定され、全ての針落ち点に関連する縫製データの設定が完了すると、ステップＵ１に戻り、この状態でステップ動作スイッチ３２が押されないうちは、そのまま起動信号の入力待ちとなる。
以上により、第３の実施の形態の表示装置により縫製データが設定される。
【００６０】
以上の第３の実施の形態の表示装置によれば、１針ごとのステップ動作によりミシンに実際の動作を順次追わせて、ミシンの各部位の動きを確認しながら縫製データを設定できる。これにより、１針ごとにミシンの各部位の位置を微調整するなど、各設定項目がより詳細に設定される。
さらに、縫製データの数値が誤って設定された場合などには、ミシンは狙いの動作とは異なる動作をし、一連の縫製動作のなかでミシンの各部位が干渉する畏れもある。しかしながら、本実施の形態の表示装置が備えられるミシンでは、ミシンに実際の動作を追わせ、１針ごとにミシン各部位の位置を確認しながら縫製データが設定されるので、このような干渉が確実に防止される。これにより、縫製データがより高い信頼性で設定される。
以上により、ミシンの縫製動作が狙いの動きとなるように、より詳細に、かつ、より高い信頼性で、縫製データが設定される。
【００６１】
なお、本発明は上記実施の形態に限定されるものではない。すなわち、本発明の趣旨を逸脱しない範囲において、適宜に変更可能であることは勿論である。
【００６５】
【発明の効果】
請求項１記載の発明によれば、１針毎のステップ動作に割り当てて、縫製に関する情報の設定を簡易的に行うことができる。
【図面の簡単な説明】
【図１】本発明を適用した第１の実施の形態の表示装置１の基本構成を示す図である。
【図２】図１の表示装置１の液晶表示部１０に表示される下位階層画面Ｔを示す図である。
【図３】図１の表示装置１を備えるミシンに設定される全ての設定項目１１を示す図である。
【図４】図１の表示装置１の液晶表示部１０に表示される上位階層画面Ｓを示す図である。
【図５】図１の表示装置１において縫製データを設定するときのＣＰＵ４における処理を示す図である。
【図６】図１の下位階層画面Ｔの変形例を示す図である。
【図７】本発明を適用した第２の実施の形態の表示装置に表示される「ボタン付け」工程と「根巻き」工程の２つの縫製工程をイメージする絵柄を示す図である。
【図８】本発明を適用した第２の実施の形態の表示装置において、「ボタン付け」工程に割り当てられた表示画面Ｕを示す図である。
【図９】本発明を適用した第２の実施の形態の表示装置において、「根巻き」工程に割り当てられた表示画面Ｖを示す図である。
【図１０】図７の「ボタン付け」工程での縫製動作を説明するための図である。
【図１１】図７の「根巻き」工程での縫製動作を説明するための図である。
【図１２】図７の「ボタン付け」工程および「根巻き」工程が終了しボタン付けが完了した様子を示す図である。
【図１３】第２の実施の形態の表示装置において縫製データを設定するときのＣＰＵ４における処理を示す図である。
【図１４】本発明を適用した第３の実施の形態の表示装置において、４番目の針落ち点でのステップ動作に割り当てられた表示画面Ｗを示す図である。
【図１５】本発明を適用した第３の実施の形態の表示装置において、５番目の針落ち点でのステップ動作に割り当てられた表示画面Ｘを示す図である。
【図１６】第３の実施の形態の表示装置の記憶部５に格納され、１針ごとのステップ動作に割り当てられた表示画面に表示される設定項目１１の針落ち位置ごとの分類を示す図表である。
【図１７】第３の実施の形態の表示装置において縫製データを設定するときのＣＰＵ４における処理を示す図である。
【図１８】従来の表示装置１００の構成を示す図である。
【図１９】図１８の表示装置１００の下位階層画面Ｑを示す図である。
【図２０】図１８の表示装置１００の上位階層画面Ｐを示す図である。
【符号の説明】
１      表示装置
４      ＣＰＵ（切換え手段の一部、選択手段の一部、制御手段）
５      記憶部（切換え手段の一部、選択手段の一部、記憶手段）
１０    液晶表示部（表示パネル）
１１    設定項目
１５    上位階層画面表示スイッチ（切換え手段の一部）
１６    下位階層画面表示スイッチ（切換え手段の一部）
１７    設定スイッチ（選択手段の一部）
２４    カーソル移動キー（選択手段の一部）
Ｓ      上位階層画面（上位画面）
Ｔ      下位階層画面（下位画面）
Ｕ、Ｖ  表示画面（工程毎の画面）
【図１】
0004623808.tif 000002
【図２】
0004623808.tif 000003
【図３】
0004623808.tif 000004
【図４】
0004623808.tif 000005
【図５】
0004623808.tif 000006
【図６】
0004623808.tif 000007
【図７】
0004623808.tif 000008
【図８】
0004623808.tif 000009
【図９】
0004623808.tif 000010
【図１０】
0004623808.tif 000011
【図１１】
0004623808.tif 000012
【図１２】
0004623808.tif 000013
【図１３】
0004623808.tif 000014
【図１４】
0004623808.tif 000015
【図１５】
0004623808.tif 000016
【図１６】
0004623808.tif 000017
【図１７】
0004623808.tif 000018
【図１８】
0004623808.tif 000019
【図１９】
0004623808.tif 000020
【図２０】
0004623808.tif 000021